(57)【要約】【課題】表示品位を低下させることなく消費電力を低減させることのできる表示装置およびそれを備える電子機器を提供する。【解決手段】外光の照度を検出して当該照度を示す照度検出信号ＳＫを出力する照度センサ１４０と、照度検出信号ＳＫの示す明るさに応じて表示モードを１６ビットモードと２４ビットモードとの間で切り替えるためのモード切替信号ＳＷを出力するセンサ制御部２２０とを備える。センサ制御部２２０は、照度が所定の閾値以上であれば１６ビットモードとなり、照度が所定の閾値未満であれば２４ビットモードとなるように、モード切替信号ＳＷの論理レベルを切り替える。グラフィックコントローラ部３１０、画像処理部２１０、およびソースドライバ１３０では、モード切替信号ＳＷの論理レベルに応じて、１６ビットモードまたは２４ビットモードの処理が行われる。【選択図】図３
2008275880.tif 000002
【特許請求の範囲】
【請求項１】
画像を表わす複数の映像信号をそれぞれ伝達するための複数の映像信号線と、所定の第１の階調数を表示可能な最大の階調数として画像を表示する表示部とを備えた表示装置を有する電子機器であって、
外部の照度を検出する照度検出手段と、
前記表示部に表示されるべき画像を表わす画像データを生成し、当該画像データに基づくデジタル画像信号を出力する画像信号生成出力手段と、
前記画像信号生成出力手段から出力されたデジタル画像信号に基づいて、前記複数の映像信号線に前記複数の映像信号を印加する映像信号線駆動回路と
を備え、
前記画像信号生成出力手段は、
前記照度検出手段によって検出された照度が所定の閾値以上であれば、前記第１の階調数よりも小さい所定の第２の階調数の画像を表わすデジタル画像信号を出力し、
前記照度検出手段によって検出された照度が前記閾値未満であれば、前記第１の階調数の画像を表わすデジタル画像信号を出力する
ことを特徴とする、電子機器。
【請求項２】
前記画像信号生成出力手段は、
前記照度検出手段によって検出された照度に応じて、前記表示部に表示されるべき画像の階調数を切り替えるための階調数切替指示信号を出力する階調数制御部と、
前記階調数制御部から出力された階調数切替指示信号に応じて、前記第１の階調数の画像を表わす画像データまたは前記第２の階調数の画像を表わす画像データを生成する画像データ生成部と、
前記画像データ生成部で生成された画像データに基づいて前記デジタル画像信号を出力する画像信号出力部と
を含むことを特徴とする、請求項１に記載の電子機器。
【請求項３】
画像を表わす複数の映像信号をそれぞれ伝達するための複数の映像信号線と、所定の第１の階調数を表示可能な最大の階調数として画像を表示する表示部とを備えた表示装置であって、
外部の照度を検出する照度検出手段と、
外部から送られ前記第１の階調数の画像を表わす画像データに基づくデジタル画像信号を出力する画像信号出力部と、
前記画像信号出力部から出力されたデジタル画像信号に基づいて、前記複数の映像信号線に前記複数の映像信号を印加する映像信号線駆動回路と
を備え、
前記画像信号出力部は、
前記照度検出手段によって検出された照度が所定の閾値以上であれば、前記第１の階調数よりも小さい所定の第２の階調数の画像を表わすデジタル画像信号を出力し、
前記照度検出手段によって検出された照度が前記閾値未満であれば、前記第１の階調数の画像を表わすデジタル画像信号を出力する
ことを特徴とする、表示装置。
【発明の詳細な説明】
【技術分野】
【０００１】
本発明は、表示装置に関し、特に多階調表示が行われる液晶表示装置における消費電力の低減に関する。
【背景技術】
【０００２】
近年、多くの電子機器のディスプレイに液晶表示装置が採用され、液晶表示装置は様々な環境下で使用されている。ところが、液晶表示装置は外光の影響を受けやすく、周囲の照度が大きくなると（明るくなると）コントラストが低下する。周囲の照度に応じて視認性の改善等を行う技術としては、例えば以下のようなものが知られている。特開平１０−２８２４７４号公報には、光センサーによって外部環境の明暗を検出し、暗い時には映像信号のビット数を（明るい時よりも）減少させる液晶表示装置の発明が開示されている。また、特開２００１−１３４２３５号公報には、周囲の照度に応じて輝度の補正などを行う液晶表示装置の発明が開示されている。さらに、特開２００４−２７２１５６号公報には、周囲の照度から表示可能な最小輝度を求め、当該最小輝度が小さい時には低階調の表示を暗く（輝度変化を小さく）し、当該最小輝度が大きい時には低階調の表示を明るく（輝度変化を大きく）することにより、低階調における階調再現性を良好にする画像表示装置の発明が開示されている。さらにまた、特開２００６−２８５０６３号公報には、周囲の照度に応じて視認性を改善するための処理などを行う画像表示装置の発明が開示されている。
【特許文献１】特開平１０−２８２４７４号公報
【特許文献２】特開２００１−１３４２３５号公報
【特許文献３】特開２００４−２７２１５６号公報
【特許文献４】特開２００６−２８５０６３号公報
【発明の開示】
【発明が解決しようとする課題】
【０００３】
ところで、従来より液晶表示装置ではカラー表示が行われているが、近年、液晶表示装置における表示色数の増加が顕著である。例えば、テレビ用モニタやデスクトップ型パーソナルコンピュータ用のモニタについては従来より「１８ビットカラー」での表示や「２４ビットカラー」での表示など多階調表示が行われているところ、ノート型パーソナルコンピュータ、ＰＤＡ（Ｐｅｒｓｏｎａｌ  Ｄｉｇｉｔａｌ  Ａｓｓｉｓｔａｎｔｓ）、ゲーム機器、および携帯電話などのように従来主に「１６ビットカラー」での表示が行われていた機器についても「１８ビットカラー」での表示や「２４ビットカラー」での表示が行われつつある。なお、「１６ビットカラー」とは、ＲＧＢのうちＲとＢとを５ビット、Ｇを６ビットで表わす、色の表現方法である。また、「１８ビットカラー」とは、ＲＧＢのそれぞれを６ビットで表わす、色の表現方法である。また、「２４ビットカラー」とは、ＲＧＢのそれぞれを８ビットで表わす、色の表現方法である。
【０００４】
上述のような表示色数の増加に伴い、液晶表示装置の消費電力も増大している。ところが、上記従来技術によると、周囲の照度に応じて視認性の改善等を行うことにより表示品位の低下は抑制されているが、消費電力の低減については特に実現されていない。
【０００５】
そこで、本発明は、表示品位を低下させることなく消費電力を低減させることのできる表示装置およびそれを備える電子機器を提供することを目的とする。
【課題を解決するための手段】
【０００６】
第１の発明は、画像を表わす複数の映像信号をそれぞれ伝達するための複数の映像信号線と、所定の第１の階調数を表示可能な最大の階調数として画像を表示する表示部とを備えた表示装置を有する電子機器であって、
外部の照度を検出する照度検出手段と、
前記表示部に表示されるべき画像を表わす画像データを生成し、当該画像データに基づくデジタル画像信号を出力する画像信号生成出力手段と、
前記画像信号生成出力手段から出力されたデジタル画像信号に基づいて、前記複数の映像信号線に前記複数の映像信号を印加する映像信号線駆動回路と
を備え、
前記画像信号生成出力手段は、
前記照度検出手段によって検出された照度が所定の閾値以上であれば、前記第１の階調数よりも小さい所定の第２の階調数の画像を表わすデジタル画像信号を出力し、
前記照度検出手段によって検出された照度が前記閾値未満であれば、前記第１の階調数の画像を表わすデジタル画像信号を出力する
ことを特徴とする。
【０００７】
第２の発明は、第１の発明において、
前記画像信号生成出力手段は、
前記照度検出手段によって検出された照度に応じて、前記表示部に表示されるべき画像の階調数を切り替えるための階調数切替指示信号を出力する階調数制御部と、
前記階調数制御部から出力された階調数切替指示信号に応じて、前記第１の階調数の画像を表わす画像データまたは前記第２の階調数の画像を表わす画像データを生成する画像データ生成部と、
前記画像データ生成部で生成された画像データに基づいて前記デジタル画像信号を出力する画像信号出力部と
を含むことを特徴とする。
【０００８】
第３の発明は、画像を表わす複数の映像信号をそれぞれ伝達するための複数の映像信号線と、所定の第１の階調数を表示可能な最大の階調数として画像を表示する表示部とを備えた表示装置であって、
外部の照度を検出する照度検出手段と、
外部から送られ前記第１の階調数の画像を表わす画像データに基づくデジタル画像信号を出力する画像信号出力部と、
前記画像信号出力部から出力されたデジタル画像信号に基づいて、前記複数の映像信号線に前記複数の映像信号を印加する映像信号線駆動回路と
を備え、
前記画像信号出力部は、
前記照度検出手段によって検出された照度が所定の閾値以上であれば、前記第１の階調数よりも小さい所定の第２の階調数の画像を表わすデジタル画像信号を出力し、
前記照度検出手段によって検出された照度が前記閾値未満であれば、前記第１の階調数の画像を表わすデジタル画像信号を出力する
ことを特徴とする。
【発明の効果】
【０００９】
上記第１の発明によれば、照度が所定の閾値以上の時には、照度が閾値未満の時と比べて画像の階調数が少なくされる。すなわち、外光の影響を強く受けてコントラストが低下している時に、画像の階調数が少なくなっている。ところで、コントラストが低下している時には、階調数を少なくしても、表示品位に及ぼす影響は小さい。また、画像の階調数が少ないときには、データの転送量や必要なメモリ量が小さくなる。このため、表示装置を備えた電子機器において、表示品位を低下させることなく、データの転送やメモリの動作によって消費される電力を低減させることができる。
【００１０】
上記第２の発明によれば、上記第１の発明と同様、表示装置を備えた電子機器において、表示品位を低下させることなく消費電力を低減させることができる。
【００１１】
上記第３の発明によれば、表示品位を低下させることなく消費電力を低減させることのできる表示装置が実現される。
【発明を実施するための最良の形態】
【００１２】
＜１．検討＞
図１は、液晶表示装置についての（外光の）照度とコントラストとの関係を示すグラフである。液晶表示装置は外光の影響を受けやすく、図１に示すように、外光の照度が大きくなるにつれてコントラストは低下する。特に透過型の液晶表示装置においては、照度の変化に対するコントラストの変化が大きくなっている。真昼の直射日光下では照度は１００００ルックス程度であるところ、照度が１００００ルックスの時の透過型の液晶表示装置のコントラストは著しく小さくなっている。また、半透過型の液晶表示装置についても、照度が１００００ルックスの時には、暗室（照度が５０ルックス以下）に置かれている時と比べて８分の１から７分の１程度にまでコントラストが低下している。
【００１３】
ところで、人が視覚によって識別することのできる輝度差には限界がある。一般的にコントラスト感度（人が識別することのできる輝度差の限界のこと）は最大で１２０程度とされており、それ以上に細かい輝度差については、人の視覚によって識別されることはない。従って、上述のように（液晶表示装置が）直射日光下におかれているためにコントラストが著しく低下している状態においては、精細な階調表示が行われても、その細かい輝度差を人は識別することができない。そうすると、明るい環境下において（暗い環境下におかれている時と比べて）階調数を少なくしても、表示品位に及ぼす影響は小さいと考えられる。なお、上述のコントラスト感度については、文献「よくわかる高齢者の心理」（近藤勉著、ナカニシヤ出版、２００１年３月）の２３ページに記載されている（図２参照）。
【００１４】
そこで、例えば（通常時に）「２４ビットカラー」での表示が行われている液晶表示装置に関し、明るい環境下で使用されている時には「１６ビットカラー」での表示が行われるようにしても、表示品位に及ぼす影響は小さいと考えられる。以上のことを踏まえ、以下、本発明の実施形態について説明する。
【００１５】
＜２．第１の実施形態＞
＜２．１  全体構成および動作＞
図３は、本発明の第１の実施形態に係る電子機器の全体構成を示すブロック図である。この電子機器は、アクティブマトリクス基板１０とコントロール基板２０とからなる液晶表示装置２と、当該液晶表示装置２で表示されるべき画像用のデータを生成するデータセット部３０とを備えている。アクティブマトリクス基板１０には、表示部１１０とゲートドライバ（走査信号線駆動回路）１２０とソースドライバ（映像信号線駆動回路）１３０と照度センサ１４０とが設けられている。コントロール基板２０には、画像処理部２１０とセンサ制御部２２０とが設けられている。データセット部３０には、グラフィックコントローラ部３１０とＣＰＵ（Ｃｅｎｔｒａｌ  Ｐｒｏｃｅｓｓｉｎｇ  Ｕｎｉｔ）３２０とが含まれている。また、グラフィックコントローラ部３１０には、ＧＰＵ（Ｇｒａｐｈｉｃａｌ  Ｐｒｏｃｅｓｓｉｎｇ  Ｕｎｉｔ）３１１とビデオメモリ３１２とが含まれている。なお、本実施形態においては、照度センサ１４０によって照度検出手段が実現され、コントロール基板２０とデータセット部３０とによって画像信号生成出力手段が実現されている。また、センサ制御部２２０によって階調数制御部が実現され、グラフィックコントローラ部３１０によって画像データ生成部が実現され、画像処理部２１０によって画像信号出力部が実現されている。また、この電子機器内の液晶表示装置２では「１６ビットカラー」での表示（以下、この表示モードを「１６ビットモード」という。）と「２４ビットカラー」での表示（以下、この表示モードを「２４ビットモード」という。）とが行われるものとして説明する。この「２４ビットモード」で表示可能な階調数が第１の階調数に相当し、「１６ビットモード」で表示可能な階調数が第２の階調数に相当する。
【００１６】
表示部１１０には、複数本のソースバスライン（映像信号線）と、複数本のゲートバスライン（走査信号線）と、それら複数本のソースバスラインと複数本のゲートバスラインとの交差点にそれぞれ対応して設けられた複数個の画素形成部とが含まれている。これらの画素形成部はマトリクス状に配置されて画素アレイを構成し、各画素形成部は、対応する交差点を通過するゲートバスラインにゲート端子が接続されると共に当該交差点を通過するソースバスラインにソース端子が接続されたスイッチング素子であるＴＦＴと、そのＴＦＴのドレイン端子に接続された画素電極と、上記複数個の画素形成部に共通的に設けられた対向電極である共通電極と、上記複数個の画素形成部に共通的に設けられ画素電極と共通電極との間に挟持された液晶層とからなる。そして、画素電極と共通電極とにより形成される容量により、画素容量が構成される。
【００１７】
照度センサ１４０は、この電子機器が使用されている場所の明るさを表わす照度を検出し、それを照度検出信号ＳＫとして出力する。ここで、「照度」とは、受光面に入射する単位面積当たりの光束の量のことである。センサ制御部２２０は、照度センサ１４０から出力された照度検出信号ＳＫを受け取り、当該照度検出信号ＳＫの示す明るさに応じて１６ビットモードと２４ビットモードとの間で表示モードを切り替えるために、階調数切替指示信号としてのモード切替信号ＳＷを出力する。なお、本実施形態においては、照度が所定の閾値以上であれば、モード切替信号ＳＷの論理レベルはハイレベルにされ、表示モードは１６ビットモードとなる。一方、照度が上述した閾値未満であれば、モード切替信号ＳＷの論理レベルはロウレベルにされ、表示モードは２４ビットモードとなる。なお、閾値については、図１に示したような照度とコントラストとの関係に基づいて決定すれば良い。
【００１８】
ＣＰＵ３２０は、グラフィックコントローラ部３１０に画像出力命令ＳＢを与える。グラフィックコントローラ部３１０のＧＰＵ３１１は、ＣＰＵ３２０から与えられた画像出力命令ＳＢに基づいて画像データＤＡを生成して出力する。その際、ＧＰＵ３１１は、センサ制御部２２０から出力されたモード切替信号ＳＷの論理レベルに基づいて、画像データを１６ビットモード用のデータ（以下、「１６ビットデータ」という。）にするか２４ビットモード用のデータ（以下、「２４ビットデータ」という。）にするかを決定する。また、ＧＰＵ３１１が画像データを生成する際には、作業領域としてビデオメモリ３１２が使用される。このため、モード切替信号ＳＷの論理レベルがロウレベルであれば、画像データを生成するために２４ビットの内部データｄがＧＰＵ３１１によってビデオメモリ３１２に書き込まれ、モード切替信号ＳＷの論理レベルがハイレベルであれば、１６ビットの内部データｄがＧＰＵ３１１によってビデオメモリ３１２に書き込まれる。同様に、グラフィックコントローラ部３１０から出力される画像データＤＡについても、モード切替信号ＳＷの論理レベルがロウレベルであれば２４ビットデータとなり、モード切替信号ＳＷの論理レベルがハイレベルであれば１６ビットデータとなる。
【００１９】
画像処理部２１０は、データセット部３０のグラフィックコントローラ部３１０から出力される画像データＤＡとセンサ制御部２２０から出力されるモード切替信号ＳＷとを受け取り、画像信号としてのデジタル映像信号ＤＶと、表示部１１０に画像を表示するタイミングを制御するためのソーススタートパルス信号ＳＳＰ、ソースクロック信号ＳＣＫ、ラッチストローブ信号ＬＳ、ゲートスタートパルス信号ＧＳＰ、およびゲートクロック信号ＧＣＫとを出力する。この画像処理部２１０では、モード切替信号ＳＷの論理レベルに基づいて、グラフィックコントローラ部３１０から出力された画像データＤＡが１６ビットデータであるか２４ビットデータであるかの判別が行われる。そして、画像データＤＡが１６ビットデータであればデジタル映像信号ＤＶについても１６ビットデータとされ、画像データＤＡが２４ビットデータであればデジタル映像信号ＤＶについても２４ビットデータとされる。
【００２０】
ソースドライバ１３０は、画像処理部２１０から出力されるデジタル映像信号ＤＶ、ソーススタートパルス信号ＳＳＰ、ソースクロック信号ＳＣＫ、およびラッチストローブ信号ＬＳと、センサ制御部２２０から出力されるモード切替信号ＳＷとを受け取り、表示部１１０内の各画素形成部の画素容量を充電するために駆動用映像信号を各ソースバスラインに印加する。このソースドライバ１３０では、モード切替信号ＳＷの論理レベルに基づいて、画像処理部２１０から出力されたデジタル映像信号ＤＶが１６ビットデータであるか２４ビットデータであるかの判別が行われ、そのビット数に応じて駆動用映像信号の生成が行われる。その生成された駆動用映像信号は、全てのソースバスラインに一斉に印加される。なお、ソースドライバ１３０の詳しい構成については後述する。
【００２１】
ゲートドライバ１２０は、画像処理部２１０から出力されるゲートスタートパルス信号ＧＳＰとゲートクロック信号ＧＣＫとに基づいて、各ゲートバスラインにアクティブな走査信号を印加する。
【００２２】
以上のようにして、各ソースバスラインに駆動用映像信号が印加され、各ゲートバスラインに走査信号が印加されることにより、表示部１１０に画像が表示される。また、表示部１１０に画像が表示される際の表示モードについては、照度が所定の閾値以上であれば「１６ビットモード」とされ、照度が所定の閾値未満であれば「２４ビットモード」とされる。
【００２３】
＜２．２  ソースドライバの構成および動作＞
図４は、本実施形態におけるソースドライバ１３０の構成を示すブロック図である。このソースドライバ１３０は、各ソースバスラインについての各色用のデータを内部画像信号ｄＲ１〜ｄＲｎ（Ｒのデータ）、ｄＧ１〜ｄＧｎ（Ｇのデータ）、ｄＢ１〜ｄＢｎ（Ｂのデータ）としてサンプリングするためのサンプリングレジスタ１３１と、サンプリングレジスタ１３１でサンプリングされた内部画像信号を一斉に出力するためのラッチ回路１３２と、デジタル信号の内部画像信号をアナログ信号に変換するためのＤ／Ａコンバータ１３３と、Ｄ／Ａコンバータ１３３から出力されたアナログ信号を駆動用映像信号としてソースバスラインＳＬ１〜ＳＬｎに印加するための出力回路１３４とを備えている。
【００２４】
サンプリングレジスタ１３１には、モード切替信号ＳＷとソーススタートパルス信号ＳＳＰとソースクロック信号ＳＣＫとデジタル映像信号ＤＶとが入力される。サンプリングレジスタ１３１には２４ｂｉｔ用処理部１３１１と１６ｂｉｔ用処理部１３１２とが含まれており、モード切替信号ＳＷの論理レベルがロウレベルであれば２４ｂｉｔ用処理部１３１１でサンプリング処理が行われ、モード切替信号ＳＷの論理レベルがハイレベルであれば１６ｂｉｔ用処理部１３１２でサンプリング処理が行われる。サンプリングレジスタ１３１でサンプリングされたデータは、内部画像信号としてラッチ回路１３２に入力される。なお、２４ｂｉｔ用処理部１３１１および１６ｂｉｔ用処理部１３１２の詳細な構成については後述する。
【００２５】
ラッチ回路１３２は、サンプリングレジスタ１３１から出力される内部画像信号を、画像処理部２１０から出力されるラッチストローブ信号ＬＳのパルスのタイミングで一斉に出力する。Ｄ／Ａコンバータ１３３は、ラッチ回路１３２から出力されるデジタル信号の内部画像信号にデジタル／アナログ変換処理を施し、その変換処理で生成されたアナログ信号を出力する。
【００２６】
出力回路１３４は、Ｄ／Ａコンバータ１３３から出力されたアナログ信号（電圧信号）を例えば電圧ホロアによってインピーダンス変換を行い、変換後の電圧を駆動用映像信号としてソースバスラインＳＬ１（Ｒ，Ｇ，Ｂ）〜ＳＬｎ（Ｒ，Ｇ，Ｂ）に出力する。
【００２７】
＜２．３  データ伝送方式＞
次に、本実施形態におけるデータ伝送方式について、図５を参照しつつ説明する。本実施形態においては、８本のデータ線（データを伝送するための信号線）を用いてＲＧＢのデータの伝送が行われる。なお、図５において、参照符号Ｄ０〜Ｄ７はデータ線を示し、参照符号Ｒ０〜Ｒ７、Ｇ０〜Ｇ７、Ｂ０〜Ｂ７はＲＧＢそれぞれについての各ビットのデータを示している。
【００２８】
表示モードが「２４ビットモード」の時には、図５（ａ）に示すように、ＲＧＢの各色について８ビットのデータが８本のデータ線（Ｄ０〜Ｄ７）を用いてパラレルに伝送されている。また、各データ線（１本のデータ線）に着目すると、Ｒのデータ、Ｇのデータ、Ｂのデータがシリアルに転送されている。このように、８ビットのデータを３回シリアルに転送することにより、ＲＧＢそれぞれのサブ画素からなる１個の画素のデータが転送される。なお、この図５（ａ）に示す形式のデータが上述の「２４ビットデータ」である。
【００２９】
一方、表示モードが「１６ビットモード」の時には、図５（ｂ）に示すように、８ビットのデータを２回シリアルに転送することにより、１個の画素のデータが転送される。例えば、参照符号Ｄ０で示すデータ線では、１回目の転送時にはＲ０のデータが転送され、２回目の転送時にはＧ０のデータが転送される。また、参照符号Ｄ１で示すデータ線では、１回目の転送時にはＢ０のデータが転送され、２回目の転送時にはＲ１のデータが転送される。このようにして、Ｒのデータについては５ビットのデータが、Ｇのデータについては６ビットのデータが、Ｂのデータについては５ビットのデータが、上述した「８ビットのデータの２回のシリアル転送」によって転送される。なお、この図５（ｂ）に示す形式のデータが上述の「１６ビットデータ」である。
【００３０】
以上のように、表示モードが「２４ビットモード」の時には図５（ａ）に示す２４ビットデータによるデータ伝送が行われ、表示モードが「１６ビットモード」の時には図５（ｂ）に示す１６ビットデータによるデータ伝送が行われる。
【００３１】
＜２．４  デジタル映像信号のサンプリング＞
次に、異なる形式のデータ（「２４ビットデータ」と「１６ビットデータ」）がどのようにしてサンプリングされるのかについて説明する。図４に示したように、本実施形態においては、サンプリングレジスタ１３１には２４ｂｉｔ用処理部１３１１と１６ｂｉｔ用処理部１３１２とが含まれている。そして、モード切替信号ＳＷの論理レベルがロウレベルであれば、ソーススタートパルス信号ＳＳＰ、ソースクロック信号ＳＣＫ、およびデジタル映像信号ＤＶは２４ｂｉｔ用処理部１３１１に入力され、当該２４ｂｉｔ用処理部１３１１でサンプリング処理が行われる。一方、モード切替信号ＳＷの論理レベルがハイレベルであれば、ソーススタートパルス信号ＳＳＰ、ソースクロック信号ＳＣＫ、およびデジタル映像信号ＤＶは１６ｂｉｔ用処理部１３１２に入力され、当該１６ｂｉｔ用処理部１３１２でサンプリング処理が行われる。
【００３２】
＜２．４．１  表示モードが「２４ビットモード」の時＞
図６は、サンプリングレジスタ１３１内の２４ｂｉｔ用処理部１３１１の構成を示すブロック図である。この２４ｂｉｔ用処理部１３１１では、表示モードが「２４ビットモード」の時に、デジタル映像信号ＤＶのサンプリング処理が行われる。なお、図６には、１本のソースバスラインに対応する部分のみを示している。
【００３３】
２４ｂｉｔ用処理部１３１１には、サンプリングクロックジェネレータ５１と、８ビットのＲのデータＲ０〜Ｒ７を格納するＲ用レジスタ５２Ｒと、８ビットのＧのデータＧ０〜Ｇ７を格納するＧ用レジスタ５２Ｇと、８ビットのＢのデータＢ０〜Ｂ７を格納するＢ用レジスタ５２Ｂとが含まれている。サンプリングクロックジェネレータ５１は、ソーススタートパルス信号ＳＳＰとソースクロック信号ＳＣＫとに基づいて、サンプリングクロックＣＬＫ１〜ＣＬＫ３を出力する。サンプリングクロックＣＬＫ１はＲ用レジスタ５２Ｒに与えられ、サンプリングクロックＣＬＫ２はＧ用レジスタ５２Ｇに与えられ、サンプリングクロックＣＬＫ３はＢ用レジスタ５２Ｂに与えられる。また、図６に示すように、８本のデータ線Ｄ０〜Ｄ７はそれぞれＲ用レジスタ５２Ｒ、Ｇ用レジスタ５２Ｇ、およびＢ用レジスタ５２Ｂに接続されている。これにより、デジタル映像信号ＤＶの各ビットのデータは、Ｒ用レジスタ５２ＲとＧ用レジスタ５２ＧとＢ用レジスタ５２Ｂとに与えられる。
【００３４】
図７は、表示モードが「２４ビットモード」の時のデジタル映像信号ＤＶのサンプリングについて説明するための信号波形図である。図７に示すように、ソーススタートパルス信号ＳＳＰがロウレベルからハイレベルに変化した後、ソースクロック信号ＳＣＫがハイレベルからロウレベルに変化する毎に順次にサンプリングクロックＣＬＫ１〜ＣＬＫ３がハイレベルからロウレベルに変化する。各レジスタ５２Ｒ、５２Ｇ、および５２Ｂでは、対応するサンプリングクロックＣＬＫ１〜ＣＬＫ３がハイレベルからロウレベルに変化した時に、デジタル映像信号ＤＶのサンプリングが行われる。具体的には、図７に示すように、時点ｔ１にはＲのデータＲ０〜Ｒ７のサンプリングが行われ、時点ｔ２にはＧのデータＧ０〜Ｇ７のサンプリングが行われ、時点ｔ３にはＢのデータＢ０〜Ｂ７のサンプリングが行われる。
【００３５】
表示モードが「２４ビットモード」の時には、以上のようにして、２４ｂｉｔ用処理部１３１１でデジタル映像信号ＤＶのサンプリング処理が行われる。
【００３６】
＜２．４．２  表示モードが「１６ビットモード」の時＞
図８は、サンプリングレジスタ１３１内の１６ｂｉｔ用処理部１３１２の構成を示すブロック図である。この１６ｂｉｔ用処理部１３１２では、表示モードが「１６ビットモード」の時に、デジタル映像信号ＤＶのサンプリング処理が行われる。なお、図８には、１本のソースバスラインに対応する部分のみを示している。
【００３７】
１６ｂｉｔ用処理部１３１２には、サンプリングクロックジェネレータ５３と、８ビットのＲのデータＲ０〜Ｒ７を格納するＲ用レジスタ５４Ｒと、８ビットのＧのデータＧ０〜Ｇ７を格納するＧ用レジスタ５４Ｇと、８ビットのＢのデータＢ０〜Ｂ７を格納するＢ用レジスタ５４Ｂとが含まれている。サンプリングクロックジェネレータ５３は、ソーススタートパルス信号ＳＳＰとソースクロック信号ＳＣＫとに基づいて、サンプリングクロックＣＬＫ４およびＣＬＫ５を出力する。サンプリングクロックＣＬＫ４およびＣＬＫ５は、図８に示すように、それぞれＲ用レジスタ５４Ｒの一部、Ｇ用レジスタ５４Ｇの一部、およびＢ用レジスタ５４Ｂの一部に与えられる。また、図８に示すように、８本のデータ線Ｄ０〜Ｄ７のうちの５本、６本、および５本がＲ用レジスタ５４Ｒ、Ｇ用レジスタ５４Ｇ、およびＢ用レジスタ５４Ｂに接続されている。
【００３８】
図９は、表示モードが「１６ビットモード」の時のデジタル映像信号ＤＶのサンプリングについて説明するための信号波形図である。図９に示すように、ソーススタートパルス信号ＳＳＰがロウレベルからハイレベルに変化した後、ソースクロック信号ＳＣＫがハイレベルからロウレベルに変化する毎に順次にサンプリングクロックＣＬＫ４、ＣＬＫ５がハイレベルからロウレベルに変化する。各レジスタ５４Ｒ、５４Ｇ、および５４Ｂでは、サンプリングクロックＣＬＫ４およびＣＬＫ５がハイレベルからロウレベルに変化した時に、デジタル映像信号ＤＶのサンプリングが行われる。
【００３９】
図８において、例えば参照符号Ｄ４で示すデータ線に着目すると、当該データ線は、Ｒ用レジスタ５４ＲのＲ３のデータを格納するレジスタとＢ用レジスタ５４ＢのＢ２のデータを格納するレジスタとに接続されている。また、図８に示すように、サンプリングクロックＣＬＫ４はＢ用レジスタ５４ＢのＢ２のデータを格納するレジスタに与えられ、サンプリングクロックＣＬＫ５はＲ用レジスタ５４ＲのＲ３のデータを格納するレジスタに与えられる。これにより、サンプリングクロックＣＬＫ４がハイレベルからロウレベルに変化した時に、データ線Ｄ４により送られるデータがＢ２のデータとしてサンプリングされる。また、サンプリングクロックＣＬＫ５がハイレベルからロウレベルに変化した時に、データ線Ｄ４により送られるデータがＲ３のデータとしてサンプリングされる。以上のようにして、８ビットのデータの２回のシリアル転送が行われている期間中に、５ビットのＲのデータＲ０〜Ｒ４、６ビットのＧのデータＧ０〜Ｇ５、および５ビットのＢのデータＢ０〜Ｂ４のサンプリングが行われる。
【００４０】
表示モードが「１６ビットモード」の時には、以上のようにして、１６ｂｉｔ用処理部１３１２でデジタル映像信号ＤＶのサンプリング処理が行われる。
【００４１】
＜２．５  効果＞
以上のように、本実施形態によると、図５に示すように、「１６ビットモード」の時には「２４ビットモード」の時よりもデータの転送周期を長くすることができる。このため、「常に２４ビットモードで表示する構成」と比べて、消費電力を低減させることができる。ここで、本実施形態においては、照度が大きい時に、表示モードが「１６ビットモード」にされる。すなわち、外光の影響を強く受けてコントラストが低下している時に、画像の階調数が少なくされる。上述したように、明るい環境下においては、階調数を少なくしても、表示品位に及ぼす影響は小さい。従って、照度が大きい時に表示モードを「１６ビットモード」にすることによる表示品位への影響は小さい。以上より、表示品位を低下させることなく消費電力を低減させることができる。
【００４２】
また、「１６ビットモードの時に２４ビットモードの時よりもデータの転送周期を長くする」ことに代えて、「表示モードに関わらずデータの転送周期を一定にする」ことによって処理速度を向上させることもできる。
【００４３】
図１０は、本実施形態における別の効果について説明するための図である。表示装置には、例えば、画像処理部２１０内に１画面分あるいは複数画面分のデータを格納することのできるメモリを備えているものがある。このような表示装置に関し、図１０（ａ）は、表示モードが「２４ビットモード」の時のデータの流れを模式的に示しており、図１０（ｂ）は、表示モードが「１６ビットモード」の時のデータの流れを模式的に示している。「１６ビットモード」の時に必要なメモリ量は、「２４ビットモード」の時に必要なメモリ量の３分の２となる。従って、図１０（ｂ）に示すように、「１６ビットモード」の時には、「２４ビットモード」の時に必要なメモリのうちの３分の１を休止状態にすることができる。これにより、メモリの動作に伴う消費電力を低減させることができる。
【００４４】
＜３．第２の実施形態＞
＜３．１  全体構成および動作＞
図１１は、本発明の第２の実施形態に係る電子機器の全体構成を示すブロック図である。この電子機器には、上記第１の実施形態と同様の構成要素が設けられているので、各構成要素についての詳しい説明は省略する。但し、センサ制御部２２０から出力されるモード切替信号ＳＷについては、上記第１の実施形態ではグラフィックコントローラ部３１０と画像処理部２１０とソースドライバ１３０とに与えられていたが、本実施形態ではグラフィックコントローラ部３１０のみに与えられる。また、後述するように、データ伝送方式が上記第１の実施形態とは異なっている。
【００４５】
＜３．２  データ伝送方式＞
次に、本実施形態におけるデータ伝送方式について説明する。本実施形態においては、ＲＧＢのそれぞれの色について、１ビット毎にデータ線が設けられている。すなわち、ＲＧＢのそれぞれの色について８本のデータ線（合計２４本のデータ線）が設けられている。図１２および図１３は、本実施形態におけるデータ伝送方式について説明するための図である。本実施形態においても、照度センサ１４０によって検出された照度に応じて、表示モードが「１６ビットモード」と「２４ビットモード」との間で切り替えられる。ここで、表示モードが「２４ビットモード」の時には、Ｒのデータについては、図１２（ａ）に示すように、８本のデータ線（Ｄ０〜Ｄ７）すべてを用いたデータ伝送が行われる。一方、表示モードが「１６ビットモード」の時には、図１２（ｂ）に示すように、８本のデータ線のうち上位５ビットのデータの伝送を行う５本のデータ線（Ｄ３〜Ｄ７）のみを用いたデータ伝送が行われる。この時、８本のデータ線のうち下位３ビットのデータの伝送を行う３本のデータ線（Ｄ０〜Ｄ２）の値は固定値とされる。
【００４６】
Ｂのデータについては、上述したＲのデータと同様、表示モードが「２４ビットモード」の時には８本のデータ線すべてを用いたデータ伝送が行われ、表示モードが「１６ビットモード」の時には５本のデータ線のみを用いたデータ伝送が行われる。Ｇのデータについては、表示モードが「２４ビットモード」の時には、図１３（ａ）に示すように、８本のデータ線（Ｄ０〜Ｄ７）すべてを用いたデータ伝送が行われ、表示モードが「１６ビットモード」の時には、図１３（ｂ）に示すように、６本のデータ線（Ｄ２〜Ｄ７）のみを用いたデータ伝送が行われる。
【００４７】
＜３．３  効果＞
以上のように、本実施形態においても、上記第１の実施形態と同様、照度が大きい時には表示モードが「１６ビットモード」にされ、メモリの動作に伴う消費電力を低減させることができる。また、表示モードが「１６ビットモード」の時には各色の下位ビットのデータが固定値にされるので、例えばソースドライバ１３０の（駆動用映像信号の）出力部分に設けられているアンプの負担が軽減され、消費電力が低減される。
【００４８】
さらに、本実施形態においては、上記第１の実施形態（図５）とは異なり、「１６ビットモード」の時と「２４ビットモード」の時とで転送されるデータの並びが異なることがない。このため、画像処理部２１０およびソースドライバ１３０では、表示モードに応じて動作を切り替える必要がない。これにより、画像処理部２１０およびソースドライバ１３０にはモード切替信号ＳＷを与える必要はなく、また、画像処理部２１０およびソースドライバ１３０の構成を従来と同様の構成にすることができる。従って、上記第１の実施形態と比べて比較的簡易な構成で、表示品位を低下させることなく消費電力を低減させることができる。
【００４９】
＜４．変形例＞
以下、変形例について説明する。
【００５０】
＜４．１  第１の変形例＞
図１４は、上記第１の実施形態の第１の変形例における電子機器の全体構成を示すブロック図である。本変形例においては、照度に関わらずデータセット部３０では常に２４ビットデータが生成される構成となっている。このため、照度に関わらず、画像処理部２１０には２４ビットデータの画像データＤＡが入力される。そして、画像処理部２１０では、モード切替信号ＳＷの論理レベルに応じて、１６ビットデータのデジタル映像信号ＤＶまたは２４ビットデータのデジタル映像信号ＤＶが生成される。
【００５１】
本変形例によると、データセット部３０については従来と同様の構成で良いので、液晶表示装置２のみでシステムを構成することができる。このため、液晶表示装置を備える様々な電子機器に本発明を容易に適用することができる。
【００５２】
＜４．２  第２の変形例＞
図１５は、上記第１の実施形態の第２の変形例における電子機器の全体構成を示すブロック図である。上記第１の実施形態においては、センサ制御部２２０から出力されるモード切替信号ＳＷは、画像処理部２１０とグラフィックコントローラ部３１０とソースドライバ１３０とに与えられていた。一方、本変形例においては、センサ制御部２２０から出力されるモード切替信号は第１のモード切替信号ＳＷ１として画像処理部２１０のみに与えられる。そして、画像処理部２１０から出力されるモード切替信号が第２のモード切替信号ＳＷ２としてグラフィックコントローラ部３１０とソースドライバ１３０とに与えられる。このような構成によっても、上記第１の実施形態と同様の効果を奏する電子機器が実現される。
【００５３】
＜４．３  第３の変形例＞
図１６は、上記第１の実施形態の第３の変形例における電子機器の全体構成を示すブロック図である。本変形例においては、上記第１の実施形態における画像処理部２１０とセンサ制御部２２０とが画像処理／センサ制御部２３０として１つの回路ブロックを構成している。このような構成によっても、上記第１の実施形態と同様の効果を奏する電子機器が実現される。
【００５４】
＜４．４  第４の変形例＞
図１７は、上記第１の実施形態の第４の変形例における電子機器の全体構成を示すブロック図である。本変形例においては、画像処理部２１０内にＤＡＣ（デジタル−アナログ変換回路）２１１が設けられている。グラフィックコントローラ部３１０から画像処理部２１０に送られた画像データＤＡは、このＤＡＣ２１１によって、デジタル信号からアナログ信号に変換される。そして、画像処理部２１０からソースドライバ１３０にアナログ映像信号ＡＶが送られる。なお、本変形例では、データセット部３０によって画像信号生成出力手段が実現されている。
【００５５】
本変形例によると、ソースドライバ１３０としてアナログドライバを採用する液晶表示装置を備えた電子機器にも本発明を適用することができる。
【００５６】
＜４．５  第５の変形例＞
図１８は、上記第１の実施形態の第５の変形例におけるサンプリングレジスタの構成を示すブロック図である。なお、図１８には、ＲＧＢのうちのＲのデータをサンプリングするための部分のみを示している。上記第１の実施形態においては、「２４ビットモード」の時には２４ｂｉｔ用処理部１３１１でサンプリング処理が行われ、「１６ビットモード」の時には１６ｂｉｔ用処理部１３１２でサンプリング処理が行われていた。一方、本変形例においては、図１８に示す構成によって、２４ビットデータのサンプリング処理と１６ビットデータのサンプリング処理の双方が行われる。
【００５７】
本変形例においては、サンプリングクロックジェネレータ５５には、ソーススタートパルス信号ＳＳＰとソースクロック信号ＳＣＫとモード切替信号ＳＷとが入力される。そして、モード切替信号ＳＷの論理レベルがロウレベルであれば、サンプリングクロックＣＬＫ１がサンプリングクロックジェネレータ５５から出力される。一方、モード切替信号ＳＷの論理レベルがハイレベルであれば、サンプリングクロックＣＬＫ４およびＣＬＫ５がサンプリングクロックジェネレータ５５から出力される。なお、各サンプリングクロックの波形については、図７および図９に示した波形と同様である。
【００５８】
また、本変形例においては、図１８に示すように、デジタル映像信号ＤＶに含まれるビットのデータを選択するセレクタ５７とサンプリングクロックを選択するセレクタ５８とが設けられている。
【００５９】
ここで、Ｒ２のデータを格納するレジスタに着目して、本変形例におけるデジタル映像信号ＤＶのサンプリング処理について説明する。当該レジスタに対応して設けられているセレクタ５７では、モード切替信号ＳＷの論理レベルがロウレベルの時にはデータ線Ｄ２により送られるデータが選択され、モード切替信号ＳＷの論理レベルがハイレベルの時にはデータ線Ｄ３により送られるデータが選択される。また、当該レジスタに対応して設けられているセレクタ５８では、モード切替信号ＳＷの論理レベルがロウレベルの時にはサンプリングクロックＣＬＫ１が選択され、モード切替信号ＳＷの論理レベルがハイレベルの時にはサンプリングクロックＣＬＫ４が選択される。これにより、モード切替信号ＳＷの論理レベルがロウレベルの時すなわち表示モードが「２４ビットモード」の時には、当該レジスタにはデータ線Ｄ２により送られるデータが格納される。一方、モード切替信号ＳＷの論理レベルがハイレベルの時すなわち表示モードが「１６ビットモード」の時には、当該レジスタにはデータ線Ｄ３により送られるデータが格納される。
【００６０】
以上のように、本変形例においても、図７および図９に示したような上記第１の実施形態と同様のサンプリング処理が行われる。本変形例によると、上記第１の実施形態における構成と比べて、回路規模を低減させることができる。
【００６１】
＜４．６  第６の変形例＞
図１９は、上記第１の実施形態の第６の変形例における電子機器の全体構成を示すブロック図である。本変形例においては、照度に関わらず、データセット部３０では常に２４ビットデータの画像データＤＡが生成され、画像処理部２１０では常に２４ビットデータのデジタル映像信号ＤＶが生成される構成となっている。このため、照度に関わらず、ソースドライバ１３０には２４ビットデータのデジタル映像信号ＤＶが入力される。そして、ソースドライバ１３０では、モード切替信号ＳＷの論理レベルに基づいて、駆動用映像信号の生成が行われる。このとき、モード切替信号ＳＷの論理レベルがロウレベルであれば、２４ビットデータをそのまま用いて駆動用映像信号が生成される。一方、モード切替信号ＳＷの論理レベルがハイレベルであれば、２４ビットデータのうちの１６ビット分のデータを用いて駆動用映像信号が生成される。なお、図２０に示すように、ソースドライバ１３０の内部にセンサ制御部１３９を備える構成にしても良い。
【００６２】
本変形例によると、表示モードが「１６ビットモード」の時には各色の下位ビットのデータが固定値にされるので、ソースドライバ１３０の（駆動用映像信号の）出力部分に設けられているアンプの負担が軽減され、消費電力が低減される。また、コントロール基板２０やデータセット部３０については従来と同様の構成で良いので、実現が容易である。
【００６３】
＜５．その他＞
上記各実施形態および各変形例においては液晶表示装置を備えた電子機器を例に挙げて説明したが、本発明はこれに限定されない。有機ＥＬ（Ｅｌｅｃｔｒｏ  Ｌｕｍｉｎｅｓｃｎｅｔ）等の他の表示装置を備えた電子機器にも本発明を適用することができる。
【図面の簡単な説明】
【００６４】
【図１】液晶表示装置についての外光の照度とコントラストとの関係を示すグラフである。
【図２】年齢別のコントラスト感度を示すグラフである。
【図３】本発明の第１の実施形態に係る電子機器の全体構成を示すブロック図である。
【図４】上記第１の実施形態において、ソースドライバの構成を示すブロック図である。
【図５】上記第１の実施形態において、データ伝送方式について説明するための図である。
【図６】上記第１の実施形態において、２４ｂｉｔ用処理部の構成を示すブロック図である。
【図７】上記第１の実施形態において、表示モードが「２４ビットモード」の時のデジタル映像信号のサンプリングについて説明するための信号波形図である。
【図８】上記第１の実施形態において、１６ｂｉｔ用処理部の構成を示すブロック図である。
【図９】上記第１の実施形態において、表示モードが「１６ビットモード」の時のデジタル映像信号のサンプリングについて説明するための信号波形図である。
【図１０】上記第１の実施形態における効果について説明するための図である。
【図１１】本発明の第２の実施形態に係る電子機器の全体構成を示すブロック図である。
【図１２】上記第２の実施形態において、データ伝送方式（Ｒのデータ）について説明するための図である。
【図１３】上記第２の実施形態において、データ伝送方式（Ｇのデータ）について説明するための図である。
【図１４】上記第１の実施形態の第１の変形例における電子機器の全体構成を示すブロック図である。
【図１５】上記第１の実施形態の第２の変形例における電子機器の全体構成を示すブロック図である。
【図１６】上記第１の実施形態の第３の変形例における電子機器の全体構成を示すブロック図である。
【図１７】上記第１の実施形態の第４の変形例における電子機器の全体構成を示すブロック図である。
【図１８】上記第１の実施形態の第５の変形例におけるサンプリングレジスタの構成を示すブロック図である。
【図１９】上記第１の実施形態の第６の変形例における電子機器の全体構成を示すブロック図である。
【図２０】上記第６の変形例の別の構成例を示すブロック図である。
【符号の説明】
【００６５】
１０…アクティブマトリクス基板
２０…コントロール基板
３０…データセット部
５１、５３、５５…サンプリングクロックジェネレータ
１１０…表示部
１２０…ゲートドライバ（走査信号線駆動回路）
１３０…ソースドライバ（映像信号線駆動回路）
１３１…サンプリングレジスタ
１３１１…２４ｂｉｔ用処理部
１３１２…１６ｂｉｔ用処理部
１４０…照度センサ
２１０…画像処理部
２２０…センサ制御部
３１０…グラフィックコントローラ部
３１１…ＧＰＵ
３１２…ビデオメモリ
３２０…ＣＰＵ
ＤＡ…画像データ
ＤＶ…デジタル映像信号
ＳＫ…照度検出信号
ＳＷ…モード切替信号
【図１】
2008275880.tif 000003
【図２】
2008275880.tif 000004
【図３】
2008275880.tif 000005
【図４】
2008275880.tif 000006
【図５】
2008275880.tif 000007
【図６】
2008275880.tif 000008
【図７】
2008275880.tif 000009
【図８】
2008275880.tif 000010
【図９】
2008275880.tif 000011
【図１０】
2008275880.tif 000012
【図１１】
2008275880.tif 000013
【図１２】
2008275880.tif 000014
【図１３】
2008275880.tif 000015
【図１４】
2008275880.tif 000016
【図１５】
2008275880.tif 000017
【図１６】
2008275880.tif 000018
【図１７】
2008275880.tif 000019
【図１８】
2008275880.tif 000020
【図１９】
2008275880.tif 000021
【図２０】
2008275880.tif 000022